【事件の表示】
　平成　６年特許願第　９７９７３号「映像カラオケ装置」拒絶査定に対する審判事件［平成　７年１０月２７日出願公開、特開平　７−２８１６８７］について、次のとおり審決する。
【結　論】
　本件審判の請求は、成り立たない。
【理　由】
１　本願発明
　本願は、平成６年４月１１日の出願であって、その請求項１に係る発明（以下、「本願発明」という）は、平成１４年４月１６日付けの手続補正書により補正された明細書および図面の記載からみて、特許請求の範囲の請求項１に記載された次のとおりのものと認める。
「操作パネルと、楽音データ出力手段と、映像データ記憶手段と、映像データ読出手段と、映像表示手段である複数のモニタテレビとを備えた映像カラオケ装置であって、
　操作パネルは、複数のカラオケ曲の中から所望の曲を選択するために操作され、映像カラオケ装置と別体のリモコンによっても遠隔操作可能であり、
　楽音データ出力手段は、操作パネルにより選択されたカラオケ曲の楽音データを再生して出力し、
　映像データ記憶手段は、映像データを記憶し、
　映像データ読出手段は、映像データ記憶手段に記憶された映像データを読み出し、
　複数のモニタテレビは、映像データ読出手段により読み出された映像データに歌詞データを合成し、楽音データ出力手段から出力される楽音データに対応して表示し、
　カラオケリスト記憶手段は、カラオケ曲に関するリストデータを記憶し、
　複数のモニタテレビのうちの特定のモニタテレビには、映像データ読出手段により読み出された映像データを表示すると同時に、他のモニタテレビには、カラオケリスト記憶手段が記憶するリストデータを表示することを特徴とする映像カラオケ装置。」
　
２　刊行物に記載された発明（以下、「刊行物発明」という）
　これに対して、原審拒絶理由で引用された、本願の出願日前である平成４年６月１８日に頒布された「特開平４−１７１４９８号公報」（以下、「刊行物」という）は、「カラオケシステム」に関するものであって、その公報には次の事項が記載されている。
（１）「第１図は本発明のカラオケシステムの基本的構成図であり、マイク１やスピーカ２等を有するカラオケ装置３は、複数の入力装置５ａ、５ｂ、５ｃとの間を同軸ケーブル４あるいは光ファイバ等で接続している。前記複数の入力装置５ａ、５ｂ、５ｃは、客席の各テーブル（図示せず）に内蔵されている。」（２頁左上欄１２行ないし１８行）
（２）「第２図はカラオケ装置３の制御部を示すブロック図であり、このカラオケ装置３は、マイク１、スピーカ２、メインＣＰＵ６，ＲＯＭ７，ＲＡＭ８，Ｉ／Ｏポート９，ＬＡＮ制御部１０、入力部１１，大型表示部１２，カラオケ記憶部１３，音声合成・増幅部１４等とから構成されている。」（２頁左上欄１９行ないし右上欄４行）
（３）「ＬＡＮ制御部１０は、同軸ケーブル４を介して、各入力装置５ａ、５ｂ、５ｃのＬＡＮ制御部２０と接続されており、各入力装置５ａ、５ｂ、５ｃとの間で通信を実行する際にＬＡＮの制御を行なう。入力部１１は、カラオケ装置３を操作するためのキー入力の制御を行なう。また、大型表示部１２は、カラオケ装置３の各種制御をするための画面表示を行なうことの他、選択されたカラオケ曲の背景となる画面の表示やカラオケ曲の歌詞の表示などを行なう。」（２頁右上欄５行ないし１４行）
（４）「カラオケ記憶部１３には、選択されたカラオケ曲の背景となるデータ、カラオケ曲の歌詞データ、及び演奏用のデータなどが記憶されており、カラオケ曲が選択されると、Ｉ／Ｏポート９を介して大型表示部１２と音声合成・増幅部１４にデータを送出する。また、音声合成・増幅部１４では、選択されたカラオケ曲に対応する演奏データを、Ｉ／Ｏポート９を介して受け取るとともに、演奏の音声信号に変換し、マイク１から入力される音声信号と合成し、増幅したのち、スピーカ２より出力する。メインＣＰＵ６は、ＲＯＭ７に記憶されたプログラムによって、プログラムの記録エリアとして使用されるＲＡＭ１８を使用し、Ｉ／Ｏポート９を介して各部を制御する。」（２頁右上欄１５行ないし左下欄８行）
（５）「第３図はカラオケ店内のテーブルと一体化された入力装置５のブロック図である。この各入力装置５は、上記カラオケ装置３と接続され、各種通信を行なうための制御をするＬＡＮ制御部２０，カラオケ曲の入力などに使用される入力部２１，カラオケ曲の背景・歌詞の画面、カラオケ曲の選択予約画面及び予約状況の画面等を表示する表示部２２を有する他、それらのＩ／Ｏポート２３を制御するＣＰＵ２４，そのプログラムが格納されているＲＯＭ２５，及びプログラムで使用する記憶部として機能するＲＡＭ２６が設けられている。」（２頁左下欄９行ないし１９行）
（６）「次に、このようにして構成された本実施例のカラオケシステムの動作について、第４図〜第７図を参照して説明する。
　通常、入力装置５の表示部２２には、現在選択されているカラオケ曲の背景と歌詞とが表示されている（Ｓ１）。新しくカラオケ曲を歌おうとする場合や予約状況を知りたい場合に、利用者が入力装置５の入力部２２に含まれる図示しない入力キーを操作すると（Ｓ２・ＹＥＳ）、入力装置５のＣＰＵ２４はＬＡＮ制御部２０を起動してカラオケ装置３にアクセスする（Ｓ３）。
　ここで、操作されたキーがカラオケ曲の予約キーの場合には（Ｓ４・ＹＥＳ）、入力装置５のＣＰＵ２４は表示部２２にカラオケの予約入力画面を表示する（Ｓ５）。利用者は、入力部２２に設けられた一覧表示キーを操作してカラオケ装置３のカラオケ記憶部１３に記憶されているカラオケ曲の一覧表を表示させ、その中からカラオケ曲を選択し、歌う曲を決定をした後、入力部２２に設けられた入力キーより、曲番号（曲名）と氏名とを入力する（Ｓ６）。すると、入力装置５のＣＰＵ２４はその入力された予約データをカラオケ装置３に送る（Ｓ７）。尚、カラオケ装置３のメインＣＰＵ６は、その予約データに基づいて、入力された入力装置５の番号と、氏名と、過去に歌われた情報とから、特定のグループや特定の人にカラオケの順番が集中しないようにカラオケの演奏順を決定し、それをＲＡＭ８に記憶するとともに、カラオケ曲を演奏順に選択して出力する（第６図のＳ２３、Ｓ２４参照）。これによって、店の人を呼んでカラオケの曲名を申し込んだり、カラオケ装置を操作する人の所まで行って所望のカラオケの曲名を告げる必要がなくる。」（２頁左下欄２０行ないし３頁左上欄１２行）
（７）「一方、カラオケ装置３は、電源を投入された後、通常は、その大型表示部１２及び各入力装置５の表示部２２に初期画面を表示し、バッグラウンドミュージックをスピーカ２から流している（Ｓ１１）。ここで、入力部１１あるいは各入力装置５からカラオケ曲の予約入力がはいると（Ｓ１２・ＹＥＳ）、カラオケ装置３は、そのカラオケ記憶部１３から指定されたカラオケ曲の歌詞データと演奏データとを呼び出して、スピーカ２からその演奏曲を送出すると共に、大型表示部１２及び各入力装置５の表示部２２にカラオケ曲背景となる画面と歌詞の表示を行う（Ｓ１３）。」（３頁右上欄５行ないし１６行）
（８）「そのコマンドがカラオケ曲の予約であった場合には（Ｓ２２・ＹＥＳ）、入力された入力装置５の番号と、氏名と、過去に歌われた情報とから、特定のグループや特定の人にカラオケの順番が集中しないようにカラオケの演奏順を決定し（Ｓ２３）、演奏順を記憶するＲＡＭ８のテーブルに、新しい演奏順をセットする。」（３頁左下欄９行ないし１５行）
（９）「更に、上記実施例では、各入力装置５ａ、５ｂ、５ｃをテーブル内蔵形としたが、テーブルとは切り離し、テーブル上におくことが出来るような形態にすることも可能である。」（３頁右下欄１４行ないし１７行）
　
３　本願発明と刊行物発明との対比
　以下、本願発明と刊行物発明を対比する。
（１）本願発明の「映像カラオケ装置」について検討すると、本願明細書および図面（特に、図１）を参照しても、コマンダにモニタテレビ等が結線されていることが認められるのみであり、コマンダにモニタテレビ等が内蔵されているものでもないので、これら結線されたものを含む全体が「映像カラオケ装置」と解される。
　そして、（上記２（１）の如く）マイクやスピーカ等を有するカラオケ装置と、複数の入力装置との間を同軸ケーブル４あるいは光ファイバ等で接続しているカラオケシステムであって、（上記２（２）の如く）このカラオケ装置３は、マイク１、スピーカ２、メインＣＰＵ６，ＲＯＭ７，ＲＡＭ８，Ｉ／Ｏポート９，ＬＡＮ制御部１０、入力部１１，大型表示部１２，カラオケ記憶部１３，音声合成・増幅部１４等とから構成され、（上記２（３）の如く）入力部１１は、カラオケ装置３を操作するためのキー入力の制御を行ない、大型表示部１２は、カラオケ装置３の各種制御をするための画面表示を行なうことの他、選択されたカラオケ曲の背景となる画面の表示やカラオケ曲の歌詞の表示などを行ない、（上記２（４）の如く）カラオケ記憶部１３には、選択されたカラオケ曲の背景となるデータ、カラオケ曲の歌詞データ、及び演奏用のデータなどが記憶されており、カラオケ曲が選択されると、Ｉ／Ｏポート９を介して大型表示部１２と音声合成・増幅部１４にデータを送出し、また、音声合成・増幅部１４では、選択されたカラオケ曲に対応する演奏データを、Ｉ／Ｏポート９を介して受け取るとともに、演奏の音声信号に変換し、マイク１から入力される音声信号と合成し、増幅したのち、スピーカ２より出力し、（上記２（５）の如く）各入力装置５は、上記カラオケ装置３と接続され、カラオケ曲の入力などに使用される入力部２１，カラオケ曲の背景・歌詞の画面、カラオケ曲の選択予約画面及び予約状況の画面等を表示する表示部２２を有する点が、刊行物に記載されている。
　すなわち、刊行物発明は、入力部を有し、カラオケ記憶部（本願発明の映像データ記憶手段に相当）から背景データ、歌詞データを大型表示部及び入力装置の表示部に出力し、演奏用データは音声合成・増幅部１４に送出され、音声合成・増幅部１４では、選択されたカラオケ曲に対応する演奏データを、Ｉ／Ｏポート９を介して受け取るとともに、演奏の音声信号に変換し、マイク１から入力される音声信号と合成し、増幅したのち、スピーカ２より出力し、大型表示部１２及び各入力装置５の表示部２２にカラオケ曲背景となる画面と歌詞の表示を行うものであり、大型表示部および各入力装置の表示部は本願発明「複数の表示装置」に相当するといえ、さらに、操作パネルかどうかは明確でないものの入力部も操作部といえ、また、上記記載から刊行物発明の「カラオケシステム」は本願発明の「映像カラオケ装置」に相当するといえるから、刊行物発明と本願発明とは「操作部と、楽音データ出力手段と、映像データ記憶手段と、映像データ読出手段と、映像表示手段である複数の表示装置とを備えた映像カラオケ装置」である点で一致している。
　また、（上記２（７）の如く）入力部１１あるいは各入力装置５からカラオケ曲の予約入力がはいると、カラオケ装置３は、そのカラオケ記憶部１３から指定されたカラオケ曲の歌詞データと演奏データとを呼び出して、スピーカ２からその演奏曲を送出すると共に、大型表示部１２及び各入力装置５の表示部２２にカラオケ曲背景となる画面と歌詞の表示を行う点が刊行物に記載されており、操作パネルかどうかは明確でないものの入力部も操作部といえるから、刊行物発明と本願発明とは「操作部は、複数のカラオケ曲の中から所望の曲を選択するために操作され、楽音データ出力手段は、操作部により選択されたカラオケ曲の楽音データを再生して出力し、映像データ記憶手段は、映像データを記憶し、映像データ読出手段は、映像データ記憶手段に記憶された映像データを読み出し、複数の表示装置は、映像データ読出手段により読み出された映像データに歌詞データを合成し、楽音データ出力手段から出力される楽音データに対応して表示」する点で一致している。
　また、（上記２（６）の如く）カラオケ装置３のメインＣＰＵ６は、その予約データに基づいて、入力された入力装置５の番号と、氏名と、過去に歌われた情報とから、特定のグループや特定の人にカラオケの順番が集中しないようにカラオケの演奏順を決定し、それをＲＡＭ８に記憶するとともに、カラオケ曲を演奏順に選択して出力する点、および（上記２（８）の記載を参照すれば）そのコマンドがカラオケ曲の予約であった場合には、入力された入力装置５の番号と、氏名と、過去に歌われた情報とから、特定のグループや特定の人にカラオケの順番が集中しないようにカラオケの演奏順を決定し、演奏順を記憶するＲＡＭ８のテーブルに、新しい演奏順をセットする点が刊行物に記載されているから、刊行物発明は、本願発明の「カラオケリスト記憶手段は、カラオケ曲に関するリストデータを記憶」する点に相当する構成を有している。
　さらに、（上記２（６）の如く）入力装置において、操作されたキーがカラオケ曲の予約キーの場合には、入力装置５のＣＰＵ２４は表示部２２にカラオケの予約入力画面を表示し、利用者は、入力部２２に設けられた一覧表示キーを操作してカラオケ装置３のカラオケ記憶部１３に記憶されているカラオケ曲の一覧表を表示させるものであり、一方、（上記２（７）の如く）入力部１１あるいは各入力装置５からカラオケ曲の予約入力がはいると、カラオケ装置３は、そのカラオケ記憶部１３から指定されたカラオケ曲の歌詞データと演奏データとを呼び出して、スピーカ２からその演奏曲を送出すると共に、大型表示部１２及び各入力装置５の表示部２２にカラオケ曲背景となる画面と歌詞の表示を行うものであることが刊行物に記載されているから、刊行物発明と本願発明とは「複数の表示装置のうちの特定の表示装置には、映像データ読出手段により読み出された映像データを表示すると同時に、他の表示装置には、カラオケリスト記憶手段が記憶するリストデータを表示する」点で一致している。
（２）したがって、両者は「操作部と、楽音データ出力手段と、映像データ記憶手段と、映像データ読出手段と、映像表示手段である複数の表示装置とを備えた映像カラオケ装置であって、操作部は、複数のカラオケ曲の中から所望の曲を選択するために操作され、楽音データ出力手段は、操作部により選択されたカラオケ曲の楽音データを再生して出力し、映像データ記憶手段は、映像データを記憶し、映像データ読出手段は、映像データ記憶手段に記憶された映像データを読み出し、複数の表示装置は、映像データ読出手段により読み出された映像データに歌詞データを合成し、楽音データ出力手段から出力される楽音データに対応して表示し、カラオケリスト記憶手段は、カラオケ曲に関するリストデータを記憶し、複数の表示装置のうちの特定の表示装置には、映像データ読出手段により読み出された映像データを表示すると同時に、他の表示装置には、カラオケリスト記憶手段が記憶するリストデータを表示することを特徴とする映像カラオケ装置。」である点で一致し、次の点で相違しているものと認められる。
　ア　操作部が、本願発明は「操作パネル」であるのに対し、刊行物発明は「入力部」である点
　イ　表示装置が、本願発明は「モニタテレビ」であるのに対し、刊行物発明は「表示器」である点
　ウ　本願発明は「映像カラオケ装置と別体のリモコンによっても遠隔操作可能であ」るのに対し、刊行物発明はそのようなものではない点
　
４　相違点についての検討
（１）相違点アについて
　操作パネルからカラオケ曲を選定することは周知・慣用であって、適宜採用し得ることでしかない。
（２）相違点イについて
　表示装置としてモニタテレビを採用することは周知・慣用（必要ならば、特開平６−２７９８１号公報参照）であって、適宜なし得ることでしかない。
（３）相違点ウについて
　リモコンで遠隔操作可能とすることは周知・慣用であって、適宜採用し得ることでしかない。
（４）そして、これらを総合的に考慮しても、上記相違点は、当業者が容易に推考できたものであり、また、上記相違点に基づく本願発明の効果に格別顕著なものは認められない。
　
５　請求人の主張
　請求人は意見書および審判請求書において、以下の点を主張している。
（１）引用例２（注：刊行物）に記載された発明は、カラオケ装置本体が大型表示部と入力装置とに接続し、大型表示部が全ての利用者を対象として設置されているのに対して、入力装置が各々のテーブルに内蔵されて利用者の一部を対象として設置されており、予約状況は入力装置の表示部に表示される点で、利用者全員が使用するモニタテレビにリストデータを表示する本願請求項１に係る発明と構成が相違する。
（２）引用例２（注：刊行物）のものは、映像カラオケ装置本体（カラオケ装置３）側に複数の映像表示手段を備えるものではないし、その映像カラオケ装置本体（カラオケ装置３）側の複数の映像表示手段の特定のものにリストデータを表示するものではない。
（３）例えば、歌唱者が使用する第１モニタテレビを設置する一方、歌唱者の横に他の利用者が使用する第２モニタテレビを設置した場合、第１モニタテレビに映像データを表示し、第２モニタテレビに順番待ちの者にとって興味のあるリストデータを表示すれば、他の利用者は、従来自分の手元で確認していた選曲データや新曲データなどを第２モニタテレビで確実に確認するようになるため、第２モニタテレビを有効活用できるとともに、他の利用者が歌唱者に注目して歌唱者に好印象を与えることができる。
　しかしながら、（１）については、請求項１には「利用者全員が使用する」なる記載はなく、本願明細書にも「他のカラオケ利用者に向けられた複数のモニタテレビを有効に活用」する記載があるのみであり、「利用者全員」が利用するモニタテレビである旨の記載はない。一方、単一のモニタテレビを「利用者全員」が利用するのであれば、「利用者に向けられたモニタテレビ」は「複数」である必要性は薄いのであるから、「利用者に向けられた複数のモニタテレビ」の個々のモニタテレビは、利用者の一部にそれぞれ向けられたものであると解するのが自然であり、またその「複数のモニタテレビ」は同じ内容（映像と歌詞）を表示するのが前提であることからしてもやはり同様のこと（利用者の一部にそれぞれ向けられたものであると解するのが自然であるということ）がいえるから、刊行物発明のものと格別の相違があるとはいえない。そして、（上記２（９）の如く）刊行物発明の入力装置は、テーブルに内蔵されていなくてもよいものである。
　また、（２）については、請求項１には「映像カラオケ装置本体」なる記載はなく、また本願明細書にも「映像カラオケ装置本体」についての記載はなく、また、図面を参照してもコマンダにモニタテレビ等が結線されていることが認められるのみであり、本体にモニタテレビ等が内蔵されているとも認められず、これら結線されたものも含む全体が映像カラオケ装置である。そして、刊行物発明では、カラオケ装置およびそれに結線された入力装置全体（カラオケシステム）が本願発明の映像カラオケ装置に相当するものといえ、複数の映像表示手段を有するものといえる。
　さらに、（３）については、請求項１にも、本願明細書にも、第２のモニタテレビを第１のモニタテレビの横に設置する場合についての記載は無いのであって、また本願発明はそれに限定されるものでもない。
　してみると、請求人の上記主張はいずれも、請求項１の記載にも明細書の記載にも基づかないものであり、また、刊行物発明に一部基づかないものでもあるから、それらを根拠として主張された本願発明と刊行物発明との相違点および作用効果を勘案することができないので、請求人の主張を採用することができない。
　
６　むすび
　したがって、本願発明は、刊行物に記載された発明に基いて当業者が容易に発明をすることができたものであるので、他の請求項に係る発明について検討するまでもなく、特許法第２９条第２項の規定により特許を受けることができない。
　よって、結論のとおり審決する。